(57)【要約】      （修正有）【課題】表示領域に対してできるだけ過不足なく表示対象物を表示できるようにする表示装置、表示方法及びプログラムを提供する。【解決手段】デジタルサイネージ装置のスクリーン部２２において、制御部は、表示対象画像から顔領域２７ａ及び体領域２７ｃを抽出し、抽出された顔領域及び体領域と、使用する画像形成部２７のスクリーン撮影画像から抽出された顔領域２７ａ及び体領域２７ｃとをそれぞれ比較する。比較結果に基づいて、表示対象画像における顔領域のサイズを調整するための第１の調整倍率及び体領域のサイズを調整するための第２の調整倍率を算出する。算出した第１の調整倍率及び第２の調整倍率に基づいて、表示対象画像における顔領域及び体領域のそれぞれのサイズを個別に調整し、調整した画像を画像形成部２７に表示させる。【選択図】図２
2018023112.tif 000002
【特許請求の範囲】
【請求項１】
少なくとも第１の表示領域と第２の表示領域を有する表示手段と、
前記表示手段における前記第１の表示領域及び前記第２の表示領域のそれぞれの形状及びサイズを特定するための表示領域情報を記憶する記憶手段と、
前記表示手段に表示される表示対象物の画像から前記第１の表示領域及び前記第２の表示領域のそれぞれに対応する第１の領域及び第２の領域を抽出する抽出手段と、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する算出手段と、
前記算出された第１の調整倍率及び第２の調整倍率に基づいて、前記表示対象物の画像における前記第１の領域及び前記第２の領域のそれぞれのサイズを個別に調整する調整手段と、
前記調整手段により調整された表示対象物の画像を前記表示手段に表示させる表示制御手段と、
を備える表示装置。
【請求項２】
前記算出手段は、前記表示手段に前記表示対象物の画像を表示したときに、前記表示対象物の画像の前記第１の領域及び前記第２の領域が、それぞれ前記第１の表示領域及び前記第２の表示領域のそれぞれからはみ出さない最大のサイズとなるように前記第１の調整倍率及び前記第２の調整倍率を算出する請求項１に記載の表示装置。
【請求項３】
複数の前記表示手段が交換可能であり、
前記複数の表示手段毎に表示領域情報を記憶する表示領域情報記憶手段と、
前記複数の表示手段のうち使用する表示手段を設定する設定手段と、
前記表示領域情報記憶手段に記憶されている表示領域情報の中から前記設定された表示手段の表示領域情報を読み出して前記記憶手段に記憶させる手段と、
を備える請求項１又は２に記載の表示装置。
【請求項４】
前記表示手段の候補を複数有し、
前記複数の表示手段の候補のうち使用する表示手段の表示領域を撮影する撮影手段と、
前記撮影手段により撮影された撮影画像を前記表示領域情報として前記記憶手段に記憶させる手段と、
備える請求項１又は２に記載の表示装置。
【請求項５】
前記表示対象物は、更に、前記第１の領域と前記第２の領域を接合する第３の領域を有し、
前記抽出手段は、更に、前記第３の領域を抽出し、
前記算出手段は、更に、前記第１の調整倍率と前記第２の調整倍率に基づいて前記第３の領域のサイズを調整するための第３の調整倍率を算出し、
前記調整手段は、前記算出された前記第１の調整倍率、前記第２の調整倍率、前記第３の調整倍率のそれぞれに基づいて、前記表示対象物の画像における前記第１の領域、前記第２の領域、及び前記第３の領域のそれぞれのサイズを調整する請求項１〜４の何れか一項に記載の表示装置。
【請求項６】
前記調整手段は、前記第３の領域における前記第１の領域との境界及び前記第２の領域との境界の間の中央部のサイズを前記第３の調整倍率で調整し、前記第１の領域との境界又は前記第２の領域との境界に近づくにつれて前記第３の領域のサイズを調整する倍率を前記第１の調整倍率又は前記第２の調整倍率に近づける請求項５に記載の表示装置。
【請求項７】
前記第１の調整倍率と前記第２の調整倍率との平均値を前記第３の調整倍率として算出する請求項５又は６に記載の表示装置。
【請求項８】
前記表示対象物は人物であり、
前記表示手段の表示領域は人型に成形されており、
前記第１の領域は顔領域であり、前記第２の領域は体領域である請求項１〜７の何れか一項に記載の表示装置。
【請求項９】
前記表示対象物は人物であり、
前記表示手段の表示領域は人型に成形されており、
前記第１の領域は顔領域であり、前記第２の領域は体領域であり、前記第３の領域は首領域である請求項５〜７の何れか一項に記載の表示装置。
【請求項１０】
少なくとも第１の表示領域と第２の表示領域を有する表示手段を備える表示装置における表示方法であって、
前記表示手段における前記第１の表示領域及び前記第２の表示領域のそれぞれの形状及びサイズを特定するための表示領域情報を記憶する工程と、
前記表示手段に表示される表示対象物の画像から前記第１の表示領域及び前記第２の表示領域のそれぞれに対応する第１の領域及び第２の領域を抽出する工程と、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する工程と、
前記算出された第１の調整倍率及び第２の調整倍率に基づいて、前記表示対象物の画像における前記第１の領域及び前記第２の領域のそれぞれのサイズを個別に調整する工程と、
前記調整された表示対象物の画像を前記表示手段に表示させる工程と、
を含む表示方法。
【請求項１１】
少なくとも第１の表示領域と第２の表示領域を有する表示手段を備える表示装置に用いられるコンピュータを、
前記表示手段における前記第１の表示領域及び前記第２の表示領域のそれぞれの形状及びサイズを特定するための表示領域情報を記憶する記憶手段、
前記表示手段に表示される表示対象物の画像から前記第１の表示領域及び前記第２の表示領域のそれぞれに対応する第１の領域及び第２の領域を抽出する抽出手段、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する算出手段、
前記算出された第１の調整倍率及び第２の調整倍率に基づいて、前記表示対象物の画像における前記第１の領域及び前記第２の領域のそれぞれのサイズを個別に調整する調整手段、
前記調整された表示対象物の画像を前記表示手段に表示させる表示制御手段、
として機能させるためのプログラム。
【発明の詳細な説明】
【技術分野】
【０００１】
本発明は、表示装置、表示方法及びプログラムに関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、閲覧者に対して印象を高めた表示を行うことができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
特許文献１に記載の映像出力装置搭載機器は、予め人型に成形されたスクリーンに、スクリーンの形状に合わせて用意された人物画像を表示するものである。しかしながら、スクリーン形状に関係なく撮影された複数の人物画像の中から再生タイミングやコンテンツの内容等に応じて適宜投影対象となる人物画像を選んで表示するほうが、このような装置のよりフレキシブルな使用方法として望ましい。その際、スクリーン等の表示領域に過不足なく人物画像を表示するほどアテンション効果が高まるが、予め決められた形状に成形された表示領域に、その表示領域に合わせこんでいない画像を表示すると余白領域が大きくなり、アテンション効果が低減されてしまうという問題がある。
【０００５】
本発明の課題は、表示領域に対してできるだけ過不足なく表示対象物を表示できるようにすることである。
【課題を解決するための手段】
【０００６】
上記課題を解決するため、請求項１に記載の発明の表示装置は、
少なくとも第１の表示領域と第２の表示領域を有する表示手段と、
前記表示手段における前記第１の表示領域及び前記第２の表示領域のそれぞれの形状及びサイズを特定するための表示領域情報を記憶する記憶手段と、
前記表示手段に表示される表示対象物の画像から前記第１の表示領域及び前記第２の表示領域のそれぞれに対応する第１の領域及び第２の領域を抽出する抽出手段と、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する算出手段と、
前記算出された第１の調整倍率及び第２の調整倍率に基づいて、前記表示対象物の画像における前記第１の領域及び前記第２の領域のそれぞれのサイズを個別に調整する調整手段と、
前記調整手段により調整された表示対象物の画像を前記表示手段に表示させる表示制御手段と、
を備える。
【発明の効果】
【０００７】
本発明によれば、表示領域に対してできるだけ過不足なく表示対象物を表示することが可能となる。
【図面の簡単な説明】
【０００８】
【図１】本実施形態におけるデジタルサイネージ装置の機能的構成を示すブロック図である。
【図２】図１のスクリーン部の概略構成を示す図である。
【図３】図１の制御部により実行される再生制御処理を示すフローチャートである。
【発明を実施するための形態】
【０００９】
以下、添付図面を参照して本発明に係る好適な実施形態を詳細に説明する。なお、本発明は、図示例に限定されるものではない。
【００１０】
［デジタルサイネージ装置１の構成］
図１は、本実施形態における表示装置としてのデジタルサイネージ装置１の主制御構成を示すブロック図である。デジタルサイネージ装置１は、例えば、店舗や展示会会場などに設置され、商品の説明、案内、アンケート等のコンテンツを再生するものであってもよいし、介護施設等に設置され、脳活性化のための出題コンテンツを再生するものであってもよく、その用途は特に限定されない。なお、本実施形態において、コンテンツは、人物が何等かの説明、案内、問いかけ等を行うものとするが、これに限定されるものではない。
【００１１】
図１に示すように、デジタルサイネージ装置１は、コンテンツの映像光を照射する投影部２１と、投影部２１から照射された映像光を背面で受けて前面に投影するスクリーン部２２とを備えている。
【００１２】
まず、投影部２１について説明する。
投影部２１は、制御部２３と、プロジェクタ２４と、記憶部２５と、通信部２６と、を備えている。プロジェクタ２４、記憶部２５、通信部２６は、図１に示すように制御部２３に接続されている。
【００１３】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、記憶部２５のプログラム記憶部２５１に記憶されているプログラムとの協働により、抽出手段、算出手段、調整手段、表示制御手段として機能する。また、制御部２３のメモリは、記憶手段として機能する。
【００１４】
プロジェクタ２４は、制御部２３から出力された画像データを映像光に変換してスクリーン部２２の背面に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。例えば、本実施形態のように表示対象物が画像中の人物である場合には、人物領域に対応する位置の微小ミラーをオンし、その他の領域をオフすることで、人物領域のみを投影（表示）することが可能となる。
【００１５】
記憶部２５は、ＨＤＤ（Hard Disk Drive）や不揮発性の半導体メモリ等により構成される。記憶部２５には、図１に示すように、プログラム記憶部２５１、画像データ記憶部２５２、音声データ記憶部２５３、表示領域情報記憶部２５４、スクリーン設定記憶部２５５等が設けられている。
【００１６】
プログラム記憶部２５１には、制御部２３で実行されるシステムプログラムや各種処理プログラム、これらのプログラムの実行に必要なデータ等が記憶されている。
画像データ記憶部２５２には、コンテンツの再生時に画像形成部２７への表示対象の候補となる人物を撮影した撮影画像の画像データが記憶されている。なお、１枚の撮影画像に複数の人物画像が含まれていてもよい。
音声データ記憶部２５３には、コンテンツの音声出力用のテキストデータが記憶されている。
表示領域情報記憶部２５４には、人型に成形された交換可能な複数の画像形成部２７（図２参照）のそれぞれの識別情報に対応付けて、その画像形成部２７の表示領域（スクリーン全体の領域）における、少なくとも顔領域２７ａ及び体領域２７ｃの形状及びサイズを特定する情報である表示領域情報が記憶されている。本実施形態において、各表示領域情報は、各画像形成部２７を撮影した画像（プロジェクタ２４で光を当てた画像形成部２７を背面から撮影した画像。画像形成部２７の表示領域内が白っぽく、背景が黒っぽく写る）であって、予め設定されている投影時の投影倍率でその撮影画像をその画像形成部２７に投影すると投影像の領域と実際の画像形成部２７の表示領域が一致するように撮影された画像（スクリーン撮影画像と呼ぶ）であることとして説明するが、これに限定されない。例えば、スクリーン撮影画像を２値化して予め顔領域及び体領域を抽出した画像等を用いることとしてもよい。
スクリーン設定記憶部２５５には、現在セットされている画像形成部２７の識別情報、即ち、次のコンテンツ再生時に使用される画像形成部２７の識別情報が記憶されている。なお、現在セットされている画像形成部２７は、設定手段としての操作部３２の所定の操作等により設定することができ、スクリーン設定記憶部２５５には、この設定操作に応じてスクリーンの識別情報が記憶される。
【００１７】
通信部２６は、モデム、ルータ、ネットワークカード等により構成され、外部機器との通信を行う。
【００１８】
次に、スクリーン部２２について説明する。
図２は、スクリーン部２２の概略構成を示す正面図である。図２に示すようにスクリーン部２２には、画像形成部２７と、画像形成部２７を支持する台座２８とが備えられている。
【００１９】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。画像形成部２７は、図２に示すように、顔領域２７ａ（第１の表示領域）、首領域２７ｂ（第３の表示領域）、体領域２７ｃ（第２の表示領域）の３つの領域に分割可能である。この画像形成部２７と前述したプロジェクタ２４とにより表示手段を構成している。なお、画像形成部２７は、複数の形状のものが候補として用意されており、交換して使用することが可能である。
【００２０】
台座２８には、ボタン式の操作部３２と、音声を出力するスピーカなどの音声出力部３３と、人感センサ３４等が設けられている。操作部３２は、交換可能な複数の画像形成部２７のうち次の投影に使用する画像形成部２７を設定（選択）可能に構成されている。
操作部３２、音声出力部３３、人感センサ３４は、図１に示すように制御部２３に接続されている。
【００２１】
［デジタルサイネージ装置１の動作］
次に、デジタルサイネージ装置１の動作について説明する。
【００２２】
図３に、デジタルサイネージ装置１において実行される再生制御処理のフローチャートを示す。再生制御処理は、制御部２３とプログラム記憶部２５１に記憶されているプログラムとの協働により実行される。
【００２３】
まず、制御部２３は、人感センサ３４により人が検出されるのを待機する（ステップＳ１１）。人感センサ３４により人が検出された場合（ステップＳ１１；ＹＥＳ）、制御部２３は、画像データ記憶部２５２に記憶されている撮影画像の中からランダムに画像を選択してメモリに読み出す（ステップＳ１２）。なお、ステップＳ１２における画像の選択方法は、これに限定されず、例えば、ユーザが選択したり、時間帯毎に予め定められた画像を選択したりすることとしてもよい。
【００２４】
次いで、制御部２３は、選択された撮影画像に顔認識処理を行って、顔画像が認識されたか否かを判断する（ステップＳ１３）。顔認識処理は、目、鼻、口等の特徴に基づく公知の画像処理技術を用いて行うことができる。
【００２５】
選択された撮影画像から顔画像が認識できなかったと判断した場合（ステップＳ１３；ＮＯ）、制御部２３は、画像データ記憶部２５２に記憶されている撮影画像の中から別の撮影画像を選択し（ステップＳ１６）、ステップＳ１３の処理に戻る。
【００２６】
選択された撮影画像から顔画像が認識できたと判断した場合（ステップＳ１３；ＹＥＳ）、制御部２３は、正面を向いた顔画像があるか否かを判断する（ステップＳ１４）。正面を向いているかは、例えば、認識された顔画像の左右の目の長さの比較等により判断することができる。正面を向いた顔画像がないと判断した場合（ステップＳ１４；ＮＯ）、制御部２３は、画像データ記憶部２５２に記憶されている撮影画像の中から別の撮影画像を選択し（ステップＳ１６）、ステップＳ１３の処理に戻る。
【００２７】
正面を向いた顔画像があると判断した場合（ステップＳ１４；ＹＥＳ）、制御部２３は、正面を向いた顔画像に対する体（上半身）領域が撮影画像から抽出できるか否かを判断する（ステップＳ１５）。例えば、撮影画像から正面を向いた顔画像を含む人体の輪郭を抽出し、抽出された領域の縦方向の長さが顔領域の縦方向の長さの所定倍以上である場合に、体領域が抽出できると判断する。
【００２８】
正面を向いた顔画像に対する体領域が抽出できなかった場合（ステップＳ１５；ＮＯ）、制御部２３は、画像データ記憶部２５２に記憶されている撮影画像の中から別の撮影画像を選択し（ステップＳ１６）、ステップＳ１３の処理に戻る。
【００２９】
一方、正面を向いた顔画像に対する体領域が抽出されたと判断した場合（ステップＳ１５；ＹＥＳ）、制御部２３は、体領域が抽出できた人物の画像を表示対象画像として決定する（ステップＳ１７）。なお、体領域が抽出できた人物の画像が複数存在する場合は、何れかを選択して表示対象画像として決定する。
【００３０】
次いで、制御部２３は、表示対象画像として決定された人物画像から顔領域（第１の領域）と体領域（第２の領域）を抽出し、顔領域と体領域を分割する（ステップＳ１８）。
次いで、制御部２３は、表示領域情報記憶部２５４からスクリーン設定記憶部２５５に記憶されている識別情報に対応するスクリーン撮影画像を読み出してメモリに記憶し、読み出したスクリーン撮影画像から顔領域と体領域をそれぞれ抽出する（ステップＳ１９）。例えば、スクリーン撮影画像を二値化してスクリーン領域を抽出し、抽出したスクリーン領域の略円形の上部領域を顔領域、略矩形の下部領域を体領域として抽出する。
【００３１】
次いで、制御部２３は、ステップＳ１７で抽出した表示対象画像の顔領域及び体領域とスクリーン撮影画像から抽出された顔領域及び体領域とをそれぞれ比較し、比較結果に基づいて、表示対象画像の顔領域の調整倍率（第１の調整倍率）と体領域の調整倍率（第２の調整倍率）を算出する（ステップＳ２０）。調整倍率は、その調整倍率で調整された表示対象画像に基づいて画像形成部２７に投影（表示）を行ったときの投影像の顔領域及び体領域が、それぞれ画像形成部２７の顔領域２７ａ及び体領域２７ｃからはみ出さない最大のサイズとなる倍率である。具体的には、表示対象画像の顔領域の縦と横の何れをスクリーン撮影画像の顔領域に合わせたら最大かつスクリーン撮影画像の顔領域からはみ出ないかを表示対象画像の顔領域を拡大／縮小しながら求め、最大かつスクリーン撮影画像の顔領域からはみ出なかったときの倍率を顔領域の倍率として算出する。体領域の倍率も同様にして算出する。
【００３２】
次いで、制御部２３は、顔領域と体領域の調整倍率の平均値を、顔領域と体領域の接合部である首領域（第３の領域）の調整倍率（第３の調整倍率）として算出する（ステップＳ２１）。
そして、制御部２３は、表示対象画像から抽出した顔領域、体領域、首領域のそれぞれのサイズを算出された調整倍率に基づいて調整（ズーム処理）する（ステップＳ２２）。首領域については、顔領域との境界と体領域の境界の間の中央部（縦方向の中央部）をステップＳ２０で算出した調整倍率で調整し、顔領域との境界部に近づくにつれて首領域の調整倍率を顔領域の調整倍率に徐々に近づけ、体領域との境界部に近づくにつれて首領域の調整倍率を体領域の調整倍率に徐々に近づけるようにして、首領域の輪郭がなだらかな二次曲線を描くように調整を行う。
【００３３】
次いで、制御部２３は、顔領域、首領域、体領域のそれぞれのサイズが調整された表示対象画像に基づいてプロジェクタ２４により投影（コンテンツの表示）を行わせるとともに、音声データ記憶部２５３に記憶されている音声データに基づいて、音声出力部３３にコンテンツの音声出力を行わせる（ステップＳ２３）。
具体的には、表示対象画像の人物領域（調整された顔領域、首領域、体領域を統合した領域）の位置情報をプロジェクタ２４に出力し、表示対象画像の人物領域をプロジェクタ２４により画像形成部２７に投影（表示）させる。また、制御部２３は、音声データ記憶部２５３に記憶されているコンテンツの音声を示すテキストデータに基づいて音声を合成して音声出力部３３により出力する。更に、音声データ記憶部２５３に記憶されているテキストデータに基づいて、画像形成部２７に表示されている人物が音声に合わせて口パクを行うように表示対象画像を画像処理してプロジェクタ２４により画像形成部２７に投影（表示）させる。音声の合成や音声に合わせた口パクの画像処理は、公知の技術を用いて行うことができる。
【００３４】
コンテンツの再生が終了して所定時間が経過すると、制御部２３は、ステップＳ１に戻る。
【００３５】
以上説明したように、デジタルサイネージ装置１によれば、制御部２３は、表示対象となる人物を撮影した表示対象画像から顔領域及び体領域を抽出し、抽出された顔領域及び体領域と、使用する画像形成部２７のスクリーン撮影画像から抽出されたスクリーンの表示領域における顔領域及び体領域とをそれぞれ比較し、比較結果に基づいて、表示対象画像における顔領域のサイズを調整するための第１の調整倍率及び体領域のサイズを調整するための第２の調整倍率を算出する。そして、制御部２３は、算出された第１の調整倍率及び第２の調整倍率に基づいて、表示対象画像における顔領域及び体領域のそれぞれのサイズを個別に調整し、調整された画像を画像形成部２７に表示させる。
【００３６】
従って、表示対象画像における顔領域及び体領域のそれぞれのサイズを、使用する画像形成部２７の顔領域２７ａ及び体領域２７ｃに合わせて個別に調整するので、例えば、表示対象画像が画像形成部２７の形状に合わせこんでいない画像であっても、それぞれの領域を画像形成部２７の対応する領域に合わせたサイズに調整することができ、画像形成部２７の表示領域に対してできるだけ過不足なく表示を行うことが可能となる。
【００３７】
具体的に、表示対象画像の顔領域及び体領域が、それぞれ画像形成部２７における顔領域２７ａ及び体領域２７ｃからはみ出さない最大のサイズとなるように第１の調整倍率及び第２の調整倍率を算出することで、それぞれの領域をできるだけ過不足なく画像形成部２７の表示領域の対応する領域に表示することが可能となる。
【００３８】
また、複数の画像形成部２７のスクリーン撮影画像を記憶しておき、設定された画像形成部２７のスクリーン撮影画像を用いて表示対象画像における各領域の調整倍率の算出を行うので、使用する画像形成部２７が変わっても、使用する画像形成部２７の表示領域に合わせてできるだけ過不足なく表示を行うことが可能となる。
【００３９】
また、表示対象画像の首領域の調整倍率を顔領域の調整倍率と体領域の調整倍率の平均値として算出し、算出された調整倍率に基づいて更に首領域のサイズを調整するので、顔領域と体領域の接合部である首領域を顔領域と体領域の調整サイズに合わせて調整することが可能となる。また、例えば、首領域における顔領域との境界及び体領域との境界の間の中央部のサイズを上述の平均値の倍率で調整し、顔領域との境界又は体領域との境界に近づくにつれて首領域のサイズを調整する倍率を顔領域の調整倍率又は体領域の調整倍率に近づけることで、違和感なく首領域を顔領域と体領域につなげることが可能となる。
【００４０】
なお、上記実施形態における記述内容は、本発明に係るデジタルサイネージ装置の好適な一例であり、これに限定されるものではない。
【００４１】
例えば、上記実施形態においては、交換可能な複数の画像形成部２７についての表示領域情報を予め表示領域情報記憶部２５４に記憶しておき、使用する画像形成部２７の表示領域情報をメモリに読み出して調整倍率の算出に用いることとしたが、例えば、プロジェクタ２４に撮影手段（図示せず）を備える構成とし、背面から投影に使用する画像形成部２７に光を当てるとともに、撮影手段により画像形成部２７の背面からその形状を撮影し、得られた撮影画像を制御部２３によりメモリに記憶して調整倍率の算出に用いることとしてもよい。このようにすれば、予め表示領域情報の登録を行っておかなくても画像形成部２７を交換して使用することができ、利便性が向上する。
【００４２】
また、上記実施形態においては、表示対象物を人物とし、スクリーンを人型とし、第１の領域を顔領域とし、第２の領域を体領域とし、第３の領域を首領域とした場合を例にとり説明したが、例えば、動物やキャラクタ等、複数の領域に分割可能な表示対象物であれば本発明を適用して同様の効果を奏することができ、この例に限定されるものではない。
【００４３】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置に適用しても同様の効果を奏することができ、この例に限定されない。
【００４４】
その他、デジタルサイネージ装置を構成する各装置の細部構成及び細部動作に関しても、発明の趣旨を逸脱することのない範囲で適宜変更可能である。
【００４５】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
少なくとも第１の表示領域と第２の表示領域を有する表示手段と、
前記表示手段における前記第１の表示領域及び前記第２の表示領域のそれぞれの形状及びサイズを特定するための表示領域情報を記憶する記憶手段と、
前記表示手段に表示される表示対象物の画像から前記第１の表示領域及び前記第２の表示領域のそれぞれに対応する第１の領域及び第２の領域を抽出する抽出手段と、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する算出手段と、
前記算出された第１の調整倍率及び第２の調整倍率に基づいて、前記表示対象物の画像における前記第１の領域及び前記第２の領域のそれぞれのサイズを個別に調整する調整手段と、
前記調整手段により調整された表示対象物の画像を前記表示手段に表示させる表示制御手段と、
を備える表示装置。
＜請求項２＞
前記算出手段は、前記表示手段に前記表示対象物の画像を表示したときに、前記表示対象物の画像の前記第１の領域及び前記第２の領域が、それぞれ前記第１の表示領域及び前記第２の表示領域のそれぞれからはみ出さない最大のサイズとなるように前記第１の調整倍率及び前記第２の調整倍率を算出する請求項１に記載の表示装置。
＜請求項３＞
複数の前記表示手段が交換可能であり、
前記複数の表示手段毎に表示領域情報を記憶する表示領域情報記憶手段と、
前記複数の表示手段のうち使用する表示手段を設定する設定手段と、
前記表示領域情報記憶手段に記憶されている表示領域情報の中から前記設定された表示手段の表示領域情報を読み出して前記記憶手段に記憶させる手段と、
を備える請求項１又は２に記載の表示装置。
＜請求項４＞
前記表示手段の候補を複数有し、
前記複数の表示手段の候補のうち使用する表示手段の表示領域を撮影する撮影手段と、
前記撮影手段により撮影された撮影画像を前記表示領域情報として前記記憶手段に記憶させる手段と、
備える請求項１又は２に記載の表示装置。
＜請求項５＞
前記表示対象物は、更に、前記第１の領域と前記第２の領域を接合する第３の領域を有し、
前記抽出手段は、更に、前記第３の領域を抽出し、
前記算出手段は、更に、前記第１の調整倍率と前記第２の調整倍率に基づいて前記第３の領域のサイズを調整するための第３の調整倍率を算出し、
前記調整手段は、前記算出された前記第１の調整倍率、前記第２の調整倍率、前記第３の調整倍率のそれぞれに基づいて、前記表示対象物の画像における前記第１の領域、前記第２の領域、及び前記第３の領域のそれぞれのサイズを調整する請求項１〜４の何れか一項に記載の表示装置。
＜請求項６＞
前記調整手段は、前記第３の領域における前記第１の領域との境界及び前記第２の領域との境界の間の中央部のサイズを前記第３の調整倍率で調整し、前記第１の領域との境界又は前記第２の領域との境界に近づくにつれて前記第３の領域のサイズを調整する倍率を前記第１の調整倍率又は前記第２の調整倍率に近づける請求項５に記載の表示装置。
＜請求項７＞
前記第１の調整倍率と前記第２の調整倍率との平均値を前記第３の調整倍率として算出する請求項５又は６に記載の表示装置。
＜請求項８＞
前記表示対象物は人物であり、
前記表示手段の表示領域は人型に成形されており、
前記第１の領域は顔領域であり、前記第２の領域は体領域である請求項１〜７の何れか一項に記載の表示装置。
＜請求項９＞
前記表示対象物は人物であり、
前記表示手段の表示領域は人型に成形されており、
前記第１の領域は顔領域であり、前記第２の領域は体領域であり、前記第３の領域は首領域である請求項５〜７の何れか一項に記載の表示装置。
＜請求項１０＞
少なくとも第１の表示領域と第２の表示領域を有する表示手段を備える表示装置における表示方法であって、
前記表示手段における前記第１の表示領域及び前記第２の表示領域のそれぞれの形状及びサイズを特定するための表示領域情報を記憶する工程と、
前記表示手段に表示される表示対象物の画像から前記第１の表示領域及び前記第２の表示領域のそれぞれに対応する第１の領域及び第２の領域を抽出する工程と、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する工程と、
前記算出された第１の調整倍率及び第２の調整倍率に基づいて、前記表示対象物の画像における前記第１の領域及び前記第２の領域のそれぞれのサイズを個別に調整する工程と、
前記調整された表示対象物の画像を前記表示手段に表示させる工程と、
を含む表示方法。
＜請求項１１＞
少なくとも第１の表示領域と第２の表示領域を有する表示手段を備える表示装置に用いられるコンピュータを、
前記表示手段における前記第１の表示領域及び前記第２の表示領域のそれぞれの形状及びサイズを特定するための表示領域情報を記憶する記憶手段、
前記表示手段に表示される表示対象物の画像から前記第１の表示領域及び前記第２の表示領域のそれぞれに対応する第１の領域及び第２の領域を抽出する抽出手段、
前記表示対象物の画像から抽出された前記第１の領域及び前記第２の領域と、前記表示領域情報に基づいて特定される前記第１の表示領域及び前記第２の表示領域とをそれぞれ比較し、比較結果に基づいて、前記表示対象物の画像における前記第１の領域のサイズを調整するための第１の調整倍率及び前記第２の領域のサイズを調整するための第２の調整倍率を算出する算出手段、
前記算出された第１の調整倍率及び第２の調整倍率に基づいて、前記表示対象物の画像における前記第１の領域及び前記第２の領域のそれぞれのサイズを個別に調整する調整手段、
前記調整された表示対象物の画像を前記表示手段に表示させる表示制御手段、  として機能させるためのプログラム。
【符号の説明】
【００４６】
１  デジタルサイネージ装置
２１  投影部
２２  スクリーン部
２３  制御部
２４  プロジェクタ
２５  記憶部
２５１  プログラム記憶部
２５２  画像データ記憶部
２５３  音声データ記憶部
２５４  表示領域情報記憶部
２５５  スクリーン設定記憶部
２６  通信部
２７  画像形成部
２８  台座
２９  透光板
３２  操作部
３３  音声出力部
３４  人感センサ 
【図１】
2018023112.tif 000003
【図２】
2018023112.tif 000004
【図３】
2018023112.tif 000005
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
画像の出力対象となる複数の出力領域を特定する特定手段と、
前記複数の出力領域に出力すべき画像を抽出する抽出手段と、
前記抽出手段で抽出された画像を、前記特定手段で特定されたそれぞれの出力領域に合うように調整して出力制御する出力制御手段と、
を具備したことを特徴とする画像出力装置。
【請求項２】
前記抽出手段は、前記複数の出力領域のそれぞれに対応する複数の画像を抽出し、
前記出力制御手段は、抽出された前記複数の画像を、それぞれの画像に対応する各出力領域のそれぞれの形態に合うようにそれぞれ調整して出力制御する、
ことを特徴とする請求項１に記載の画像出力装置。
【請求項３】
複数の画像の中で、前記各出力領域に出力すべき複数の画像部分を共に含む画像を検索する検索手段と、
を更に具備し、
前記抽出手段は、前記検索手段で検索された画像から、前記各出力領域に出力すべき複数の部分画像を抽出し、
前記出力制御手段は、抽出された前記複数の部分画像を、それぞれの部分画像に対応する各出力領域のそれぞれの形態に合うように調整して出力制御する、
ことを特徴とする請求項１に記載の画像出力装置。
【請求項４】
画像の出力対象となる出力領域を特定する特定手段と、
複数の画像の中から、前記出力領域への出力対象となる画像を検索する検索手段と、
前記検索手段で検索されて抽出された画像を、前記特定手段で特定された出力領域に合うように調整して出力制御する出力制御手段と、
を具備したことを特徴とする画像出力装置。
【請求項５】
前記特定手段は、出力位置に存在する出力対象物の中から出力領域を抽出することで、前記出力領域を特定する、
ことを特徴とする請求項１〜４の何れかに記載の画像出力装置。
【請求項６】
前記出力制御手段は、抽出された前記画像の領域と前記出力領域とを比較することで、抽出された前記画像の調整倍率を決定し、当該画像のサイズを当該調整倍率に基づいて調整することで、抽出された前記画像を前記出力領域に合うように調整して出力制御する、
ことを特徴とする請求項１〜５の何れかに記載の画像出力装置。
【請求項７】
前記出力制御手段は、抽出された前記画像のサイズが、前記出力領域からはみ出さない最大サイズになるように調整して出力制御する、
ことを特徴とする請求項１〜６の何れかに記載の画像出力装置。
【請求項８】
画像を出力する際の画像出力方法であって、
画像の出力対象となる複数の出力領域を特定する特定ステップと、
前記複数の出力領域に出力すべき画像を抽出する抽出ステップと、
前記抽出ステップで抽出された画像を、前記特定ステップで特定されたそれぞれの出力領域に合うように調整して出力制御する出力制御ステップと、
からなる画像出力方法。
【請求項９】
画像を出力する際の画像出力方法であって、
画像の出力対象となる出力領域を特定する特定ステップと、
複数の画像の中から、前記出力領域への出力対象となる画像を検索する検索ステップと、
前記検索ステップで検索されて抽出された画像を、前記特定ステップで特定された出力領域に合うように調整して出力制御する出力制御ステップと、
からなる画像出力方法。
【請求項１０】
画像出力装置のコンピュータを制御するためのプログラムであって、
前記コンピュータを、
画像の出力対象となる複数の出力領域を特定する特定手段、
前記複数の出力領域に出力すべき画像を抽出する抽出手段、
前記抽出手段で抽出された画像を、前記特定手段で特定されたそれぞれの出力領域に合うように調整して出力制御する出力制御手段、
として機能させるようにしたプログラム。
【請求項１１】
画像出力装置のコンピュータを制御するためのプログラムであって、
前記コンピュータを、
画像の出力対象となる出力領域を特定する特定手段、
複数の画像の中から、前記出力領域への出力対象となる画像を検索する検索手段、
前記検索手段で検索されて抽出された画像を、前記特定手段で特定された出力領域に合うように調整して出力制御する出力制御手段、
として機能させるようにしたプログラム。
【手続補正３】
【補正対象書類名】明細書
【補正対象項目名】０００１
【補正方法】変更
【補正の内容】
【０００１】
本発明は、画像出力装置、画像出力方法及びプログラムに関する。
【手続補正４】
【補正対象書類名】明細書
【補正対象項目名】０００５
【補正方法】変更
【補正の内容】
【０００５】
本発明の課題は、出力対象となる画像を出力領域に合わせて出力できるようにすることにある。
【手続補正５】
【補正対象書類名】明細書
【補正対象項目名】０００６
【補正方法】変更
【補正の内容】
【０００６】
請求項１は、画像の出力対象となる複数の出力領域を特定する特定手段と、前記複数の出力領域に出力すべき画像を抽出する抽出手段と、前記抽出手段で抽出された画像を、前記特定手段で特定されたそれぞれの出力領域に合うように調整して出力制御する出力制御手段と、を具備したことを特徴とする。
請求項４は、画像の出力対象となる出力領域を特定する特定手段と、複数の画像の中から、前記出力領域への出力対象となる画像を検索する検索手段と、前記検索手段で検索されて抽出された画像を、前記特定手段で特定された出力領域に合うように調整して出力制御する出力制御手段と、を具備したことを特徴とする。
【手続補正６】
【補正対象書類名】明細書
【補正対象項目名】０００７
【補正方法】変更
【補正の内容】
【０００７】
本発明によれば、出力対象となる画像を出力領域に合わせて出力することが可能となる。